(57)【要約】【課題】粘着テープが貼り替えられたことを容易に判別することのできるように粘着テープに加工を施して繰り出すことのできる粘着テープ繰出装置を提供する。【解決手段】粘着テープ繰り出し装置１０を、テープロール２０を支持するためのテープロール支持手段１１と、テープロール２０から繰り出された粘着テープ２１の中央に長手方向に沿った少なくとも２本のミシン目Ｌ１，Ｌ２を互いにずらしながら形成するためのミシン目形成手段１３とを備えたものとした。【選択図】図１
2008222385.tif 000002
【特許請求の範囲】
【請求項１】
テープロールを支持するためのテープロール支持手段と、テープロールから繰り出された粘着テープの中央に長手方向に沿った少なくとも２本のミシン目Ｌ１，Ｌ２を互いにずらしながら形成するためのミシン目形成手段とを備えたことを特徴とする粘着テープ繰り出し装置。
【請求項２】
ミシン目形成手段が、平行に配された少なくとも２枚の回転鋸歯で構成され、ミシン目Ｌ１を形成する回転鋸歯の歯とミシン目Ｌ２を形成する回転鋸歯の歯とが半ピッチずつずれて配された請求項１記載の粘着テープ繰り出し装置。
【請求項３】
テープロールから繰り出された粘着テープの側縁を粘着面側に折り返して非粘着部とするための側縁折り返し手段を備えた請求項１又は２記載の粘着テープ繰り出し装置。
【請求項４】
側縁折り返し手段が、粘着テープの両方の側縁を粘着面側に折り返すものである請求項
３記載の粘着テープ繰り出し装置。
【請求項５】
側縁折り返し手段が、粘着テープの幅を規制して粘着テープの側縁を粘着面側に起立させる側縁起立手段と、側縁の起立した粘着テープに非粘着面側から接触して粘着テープを非粘着面側に反らせることにより前記側縁を粘着面側に倒伏させる側縁倒伏手段とで構成された請求項３又は４記載の粘着テープ繰出装置。
【請求項６】
テープロール支持手段が、テープロールの内周部を少なくとも３点で支持する形態のものであり、そのうち少なくとも１点を支持する支持部が付勢手段を有し、該支持部がテープロールの内周部を外向きに押圧する向きに前記付勢手段によって付勢された請求項１〜５いずれか記載の粘着テープ繰り出し装置。
【発明の詳細な説明】
【技術分野】
【０００１】
本発明は、粘着テープが貼り替えられたことを容易に判別することのできるように粘着テープに加工を施して繰り出すことのできる粘着テープ繰出装置に関する。
【背景技術】
【０００２】
コンビニエンスストアやホームセンターやスーパーマーケットなどのレジスターでは、店の名前やロゴが印刷された粘着テープを客が購入した商品に貼り付けて、購入済みの印とすることが行われている。これにより、レジスターを通過した購入済みの商品と、レジスターを通過していない未購入の商品とを区別することが可能になり、未購入の商品が店外に持ち出されようとした際に気づきやすくすることができる。ところが、世の中には、購入済みの安価な商品から剥がした粘着テープを未購入の高価な商品に貼り替えて店外に持ち出すといった悪知恵の働く者もおり、各店舗は、このような者への対策に頭を悩ませていた。
【０００３】
このような実状に鑑みてか、剥離層と粘着層とで構成され、一旦商品に貼られたものを剥がそうとしても表側の剥離層のみが剥がれて裏側の粘着層は商品に残るようにした粘着テープ（以下、「剥離タイプの粘着テープ」と呼ぶ。）が提案されている（例えば、特許文献１〜３）。
【０００４】
しかし、剥離タイプの粘着テープは、剥離層を設ける分、剥離層を有さない粘着テープ（以下、「非剥離タイプの粘着テープ」と呼ぶ。）と比較して製造コストが高くなりやすかった。また、剥離タイプの粘着テープを導入しようとすると、それまで使用していた非剥離タイプの粘着テープから切り替える必要があり、導入コストが高くなりやすかった。さらに、剥離タイプの粘着テープから剥がされた剥離層に再度糊を塗って商品に貼り付けた場合には、その粘着テープ（剥離層）が商品に初めて貼られたものなのか、貼り替えられたものなのかの判別が一目では困難であるという欠点もあった。
【０００５】
さらに、剥離タイプの粘着テープにおいて、剥離層のみが剥がれて粘着層が商品に残るようにするためには、商品と粘着層との接着強度を剥離層と粘着層との接着強度よりも高くする必要があった。このため、剥離タイプの粘着テープは、剥離層を有さない粘着テープと比較して、商品と粘着層との接着強度を高くしなければならないことがあり、家に持ち帰った商品から粘着テープを完全に剥がそうとした際に、作業者に一苦労させるものとなりやすかった。
【０００６】
ところで、これまでには、粘着テープにミシン目を形成することができるようにした粘着テープ繰り出し装置が提案されている（例えば、特許文献４〜６）。しかし、これらはいずれも、粘着テープで封をされたダンボール箱などをカッターナイフなどを用いることなく容易に開封できるようにすることを目的としたものであり、粘着テープの貼り替えを防止するのに好適なものとはなっていなかった。すなわち、これらの粘着テープ繰り出し装置でミシン目の形成された粘着テープは、注意すれば、あるいは特に注意しなくても、ミシン目の形成された部分で破断しないように剥がすことが可能であった。
【０００７】
さらに、粘着テープの側縁を長手方向に沿って折り返して非粘着部を形成し、該非粘着部を剥がししろ（粘着テープを剥がす際に指で摘んだり爪を立てたりすることのできる部分）として利用できるようにする粘着テープ繰り出し装置も提案されている（例えば、特許文献７，８）。しかし、これらはいずれも、粘着テープを剥がしやすくすることのみを目的としたものであり、やはり粘着テープの貼り替えを防止できるものとはなっていなかった。
【０００８】
【特許文献１】特開２００１−２４０８２５号公報
【特許文献２】特開２００１−２４０８２６号公報
【特許文献３】特開２０００−３５１９５０号公報
【特許文献４】特開平０５−０２４７３４号公報
【特許文献５】実開平０５−０１２０９３号公報
【特許文献６】特許第２５８３７４５号公報
【特許文献７】特許第３５４９５１２号公報
【特許文献８】特開２００３−２０６０６７号公報
【発明の開示】
【発明が解決しようとする課題】
【０００９】
本発明は、上記課題を解決するためになされたものであり、それまで使用していた非剥離タイプの粘着テープから剥離タイプの粘着テープに切り替えなくても、粘着テープの貼り替えを容易に判別することができるようにすることを目的とする。すなわち、粘着テープが貼り替えられたことを容易に判別することのできるように粘着テープに加工を施して繰り出すことのできる粘着テープ繰出装置を提供する。また、粘着テープを対象物から容易に剥がすことができるようにすることも本発明の目的である。
【課題を解決するための手段】
【００１０】
上記課題は、テープロールを支持するためのテープロール支持手段と、テープロールから繰り出された粘着テープの中央に長手方向に沿った少なくとも２本のミシン目Ｌ１，Ｌ２を互いにずらしながら形成するためのミシン目形成手段とを備えたことを特徴とする粘着テープ繰り出し装置を提供することによって解決される。
【００１１】
ここで、「粘着テープの中央」とは、粘着テープおける側縁以外の部分という意味であり、粘着テープの幅方向の厳密な中心に限定されるものではない。また、「ミシン目Ｌ１，Ｌ２を互いにずらしながら形成」とは、粘着テープを長手方向に亘るどの部分で幅方向（切断線が粘着テープの長手方向と垂直になるよう）に切断したとしても、ミシン目Ｌ１における切れ目の入った部分（切断部）とミシン目Ｌ２における切れ目の入った部分（切断部）のうち少なくてもいずれか一方が粘着テープの長手方向の端部に現れるよう（前記切断線まで到達するよう）に、ミシン目Ｌ１，Ｌ２のそれぞれの切断部を互いにずらしながら形成するという意味である。
【００１２】
粘着テープは、粘着テープ繰り出し装置などに設けられた切断手段によって、その長手方向と垂直な方向に切断されるのが通常であるが、このようにミシン目Ｌ１，Ｌ２を互いにずらしながら形成しておくことによって、対象物に貼られた粘着テープの両端部には、必ず切れ目が存在するようになるので、粘着テープを対象物から剥がそうとした際には、その切れ目が始点となって粘着テープが長手方向に沿って裂けやすくなる。したがって、対象物に貼られた粘着テープの長手方向の端部を見れば、その粘着テープが初めて貼られたものなのか、他から貼り替えられたものなのか、目視によって容易に判断することができるようになる。すなわち、ミシン目に沿って裂けた形跡のない粘着テープは、貼り替えられていないものと判断することができるし、ミシン目に沿って裂けた形跡のある粘着テープは、貼り替えられたものと判断することができる。
【００１３】
ミシン目形成手段の具体的な形態は、特に限定されないが、平行に配された少なくとも２枚の回転鋸歯で構成され、ミシン目Ｌ１を形成する回転鋸歯の歯とミシン目Ｌ２を形成する回転鋸歯の歯とが半ピッチずつずれて配されていると好ましい。これにより、ミシン目Ｌ１，Ｌ２を互いにずらしながら形成することが容易になる。
【００１４】
上記の粘着テープ繰り出し装置に、テープロールから繰り出された粘着テープの側縁を粘着面側に折り返して非粘着部とするための側縁折り返し手段を備えることも好ましい。これにより、剥がししろ（粘着テープを剥がす際に指で摘んだり爪を立てたりすることのできる部分）となる非粘着部を粘着テープの側縁に沿って形成することが可能になる。したがって、粘着テープを剥がしやすくすることが可能になる。また、粘着テープを側縁から剥がすようにリードすることもできるので、粘着テープをミシン目の形成された部分でより確実に破断させることも可能になる。ミシン目Ｌ１，Ｌ２が互いにずらされて形成された粘着テープは、長手方向の端部から剥がそうとしたときよりも、幅方向の端部（側縁）から剥がそうとしたときの方が、ミシン目の形成された部分で破断しやすいからである。
【００１５】
側縁折り返し手段は、粘着テープの少なくとも一方の側縁を折り返すものであれば特に限定されないが、粘着テープの両方の側縁を粘着面側に折り返すものであると好ましい。これにより、粘着テープにおけるミシン目の片側だけでなく両側を剥がしやすくすることが可能になる。
【００１６】
側縁折り返し手段の具体的な形態は、特に限定されないが、粘着テープの幅を規制して粘着テープの側縁を粘着面側に起立させる側縁起立手段と、側縁の起立した粘着テープに非粘着面側から接触して粘着テープを非粘着面側に反らせることにより前記側縁を粘着面側に倒伏させる側縁倒伏手段とで構成されていると好ましい。これにより、粘着テープの側縁を綺麗に折り返すことが可能になる。
【００１７】
テープロール支持手段は、テープロールを支持できる形態のものであれば特に限定されないが、テープロールの内周部を少なくとも３点で支持する形態のものであり、そのうち少なくとも１点を支持する支持部が付勢手段を有し、該支持部がテープロールの内周部を外向きに押圧する向きに前記付勢手段によって付勢されていると好ましい。これにより、テープロール支持手段にテープロールをしっかりと支持させてテープロールのガタツキを防止することが可能になる。したがって、テープロールから繰り出された粘着テープにかかるテンションが一定に保たれやすくして、粘着テープにミシン目をより綺麗に形成するだけでなく、粘着テープの側縁をより綺麗に折り返すことも可能になる。テープロールから繰り出された粘着テープに弛みが生じていると、粘着テープに孔があきにくくなり、ミシン目形成手段でミシン目Ｌ１，Ｌ２が形成されないおそれがある。
【００１８】
ここで、「テープロールの内周部を少なくとも３点で支持する形態」とは、前記支持部が３箇所以上に分離しているものに限定されない。すなわち、テープロール支持手段が、テープロールの内周部と１点で接する１つの支持部（支持部Ａとする）と、テープロールの内周部に亘って線で接する１つの支持部（支持部Ｂとする）だけで構成されている場合であっても、支持部Ｂは、テープロールの内周部と２点以上で接していると考えることができる。したがって、このようなテープロール支持手段は、テープロールの内周部を少なくとも３点で支持する形態のものに含まれるものとする。
【発明の効果】
【００１９】
本発明の粘着テープ繰り出し装置によって、それまで使用していた非剥離タイプの粘着テープから剥離タイプの粘着テープに切り替えなくても、粘着テープの切れた部分を目視することにより、その粘着テープが初めて貼られたものなのか他から貼り替えられたものなのかを容易に判別することが可能になる。また、粘着テープを対象物から容易に剥がすことも可能になる。
【発明を実施するための最良の形態】
【００２０】
本発明の粘着テープ繰り出し装置の好適な実施態様について、図面を用いてより具体的に説明する。図１は、本発明の粘着テープ繰り出し装置１０の側面図である。図２は、図１に示した粘着テープ繰り出し装置１０におけるテープロール支持手段１１の平面図である。図３は、図１に示した粘着テープ繰り出し装置１０における側縁折り返し手段１２とミシン目形成手段１３の底面図である。図４は、図１に示した粘着テープ繰り出し装置１０における側縁折り返し手段１２とミシン目形成手段１３を粘着テープ２１の幅方向に垂直な面で切断した断面図である。図５は、図１に示した粘着テープ繰り出し装置１０における側縁折り返し手段１２とミシン目形成手段１３の背面図である。図６は、図１に示した粘着テープ繰り出し装置１０におけるミシン目形成手段１３の斜視図である。図７は、図１に示した粘着テープ繰り出し装置１０におけるミシン目形成手段１３の側面図である。
【００２１】
１．粘着テープ繰り出し装置の概要
本発明の粘着テープ繰り出し装置１０は、図１に示すように、テープロール２０を支持するためのテープロール支持手段１１と、テープロール２０から繰り出された粘着テープ２１の側縁を粘着面側に折り返して非粘着部とするための側縁折り返し手段１２と、テープロール２０から繰り出された粘着テープ２１の中央に長手方向に沿ったミシン目L（図３）を形成するためのミシン目形成手段１３と、テープロール２０から繰り出された粘着テープ２１を切断するための切断手段１４とを備えたものとなっている。
【００２２】
２．テープロール支持手段
本実施態様の粘着テープ繰り出し装置１０において、テープロール支持手段１１は、図１に示すように、第一支持部１１ａと、第二支持部１１ｂと、第三支持部１１ｃとで構成されており、テープロール２０の内周部を少なくとも３点で支持できる形態のものとなっている。
【００２３】
このうち第一支持部１１ａと第二支持部１１ｂは、それぞれ柱状に形成されており、粘着テープ繰り出し装置１０の本体から水平方向（図１の紙面手前側）に突出するように配されている。第一支持部１１ａと第二支持部１１ｂは、粘着テープ繰り出し装置１０の本体に対して動かないように固定されている。
【００２４】
一方、第三支持部１１ｃは、粘着テープ繰り出し装置１０の本体に対して移動可能に支持されたテープロール押さえ体と、テープロール押さえ体を外向きに付勢するためのスプリング（付勢手段）とによって構成されている。このため、テープロール支持手段１１は、テープロール２０を内側からガタツキなくしっかりと支持できるようになっている。また、内径の異なる複数種のテープロール２０をガタツキなくしっかりと支持することも可能なものとなっている。テープロール支持手段１１にテープロール２０を支持させる際には、第三支持部１１ｃのテープロール押さえ体を内側に押し込んで行う。
【００２５】
第一支持部１１ａと第二支持部１１ｂと第三支持部１１ｃの配置は、特に限定されないが、粘着テープ繰り出し装置１０の本体に対して移動しない第一支持部１１ａと第二支持部１１ｂを後側（粘着テープ２１が繰り出されるのとは反対側）に配し、粘着テープ繰り出し装置１０の本体に対して移動する第三支持部１１ｃを前側（粘着テープ２１が繰り出される側）に配すると好ましい。本実施態様の粘着テープ繰り出し装置１０において、第一支持部１１ａは、テープロール２０の内周部における後側上部を、第二支持部１１ｂは、テープロール２０の内周部における後側下部を、第三支持部１１ｃは、テープロール２０の内周部における前側中央部をそれぞれ支持するようになっている。これにより、粘着テープ２１を繰り出す際にテープロール２０に生じうるガタツキをより小さく抑えることが可能になり、ミシン目Ｌ１，Ｌ２や非粘着部を粘着テープ２１により綺麗に形成することが可能になる。
【００２６】
ところで、第一支持部１１ａと第二支持部１１ｂにおけるテープロール２０の内周部に接触する部分（後向き外周部）と、第三支持部１１ｃにおけるテープロール２０の内周部に接触する部分（前向き外周部）には、図２に示すように、溝を形成しており、該溝にテープロール２０を嵌め込むことができるようになっている。このため、テープロール支持手段１１は、テープロール２０を上下方向や前後方向だけでなく左右方向に位置決めすることも可能なものとなっている。
【００２７】
本実施態様の粘着テープ繰り出し装置１０において、第一支持部１１ａ、第二支持部１１ｂ及び第三支持部１１ｃに設けられた前記溝は多段に形成されており、外側になるにしたがって溝の幅が広くなるようになっている。このため、テープロール支持手段１１は、幅の異なる複数種のテープロール２０を粘着テープ２１の幅方向に対して位置決めすることができるようになっている。
【００２８】
３．側縁折り返し手段
本実施態様の粘着テープ繰り出し装置１０において、側縁折り返し手段１２は、図３〜図５に示すように、粘着テープ２１の幅を規制して粘着テープ２１の側縁を粘着面側に起立させる一対の側縁起立手段１２ａ，１２ｂと、側縁の起立した粘着テープ２１に非粘着面側から接触して粘着テープ２１を非粘着面側に反らせることにより前記側縁を粘着面側に倒伏させる側縁倒伏手段１２ｃとで構成されている。
【００２９】
このうち、側縁起立手段１２ａは、粘着テープ２１の向かって左側の縁部を下向きに起立させるためのものとなっており、側縁起立手段１２ｂは、粘着テープ２１の向かって右側の縁部を下向きに起立させるものとなっている。このため、側縁折り返し手段１２は、粘着テープ２１の両方の側縁を折り返すことができるようになっている。側縁倒伏手段１２ｃは、図４に示すように、断面略円形のものとなっており、その外周部で粘着テープ２１を円滑に案内できるようになっている。
【００３０】
４．ミシン目形成手段
ミシン目形成手段１３は、図６に示すように、平行に配された一対の回転鋸歯１３ａ，１３ｂと、回転鋸歯１３ａ，１３ｂを粘着テープ２１の幅方向と平行な軸周りに回転可能に保持するための回転ドラム１３ｃとで構成されている。回転鋸歯１３ａの歯と回転鋸歯１３ｂの歯は、図７に示すように、半ピッチずらしており、粘着テープ２１の中央には、図３に示すように、回転鋸歯１３ａによるミシン目Ｌ１と回転鋸歯１３ｂによるミシン目Ｌ２とが互い違いに形成されるようになっている。
【００３１】
回転鋸歯１３ａ，１３ｂの寸法形状は、特に限定されないが、以下のことを考慮して決定すると好ましい。すなわち、粘着テープ２１に形成されるミシン目Ｌの切断部ＬＡ（図３）が短すぎたり、切断部ＬＡの幅が狭すぎたり、接続部ＬＢが長すぎたりすると、粘着テープ２１がミシン目Ｌの形成された部分で破断しにくくなるおそれがある。このため、回転鋸歯１３ａ，１３ｂの寸法形状は、ミシン目Ｌにおける切断部ＬＡの長さを１ｍｍ以上確保でき、切断部ＬＡの幅を０．１ｍｍ以上確保でき、接続部ＬＢの長さを２ｍｍ以下とすることのできるように設定すると好ましい。
【００３２】
一方、粘着テープ２１に形成されるミシン目Ｌの切断部ＬＡが長すぎたり、切断部ＬＡの幅が広すぎたり、接続部ＬＢが短すぎたりすると、粘着テープ２１の強度を保てなくなるおそれがある。このため、回転鋸歯１３ａ，１３ｂの寸法形状は、ミシン目Ｌにおける切断部ＬＡの長さを３ｍｍ以下とし、切断部ＬＡの幅を１ｍｍ以下とし、接続部ＬＢの長さを０．５ｍｍ以上確保することのできる寸法に設定すると好ましい。本実施態様の粘着テープ繰り出し装置１０において、回転鋸歯１３ａ，１３ｂは、ミシン目Ｌにおける切断部ＬＡの長さが約２ｍｍで、切断部ＬＡの幅が約０．２ｍｍで、接続部ＬＢの長さが約１ｍｍとなる寸法形状に設定されている。
【００３３】
さらに、本実施態様の粘着テープ繰り出し装置１０のように、回転鋸歯１３ａ，１３ｂを複数枚設ける場合に、回転鋸歯１３ａ，１３ｂの間隔（ミシン目Ｌ１，Ｌ２の間隔に相当）を狭くしすぎると、粘着テープ２１の強度を保てなくなるおそれがある。このため、回転鋸歯１３ａ，１３ｂの間隔は、０．５ｍｍ以上とすると好ましく、１ｍｍ以上とするとより好ましい。
【００３４】
一方、回転鋸歯１３ａ，１３ｂの間隔を広くしすぎると、粘着テープ２１がミシン目Ｌの形成された部分で破断しにくくなるおそれがある。このため、回転鋸歯１３ａ，１３ｂの間隔は、３ｍｍ以下とすると好ましく、２ｍｍ以下とするとより好ましい。本実施態様の粘着テープ繰り出し装置１０において、回転鋸歯１３ａ，１３ｂの間隔は約１．５ｍｍに設定されている。
【００３５】
このとき、ミシン目Lを粘着テープ２１の幅方向におけるどの部分に設けるかは、粘着テープおける側縁以外の部分であれば特に限定されない。しかし、ミシン目Ｌが粘着テープ２１の側縁に近すぎると、ミシン目Ｌが剥がししろにかかってしまい、粘着テープを剥がしても粘着テープ２１が長手方向に裂けにくくなるおそれがある。このため、ミシン目Ｌは、通常、粘着テープ２１の側縁から１ｍｍ以上内側に入った領域に設けられる。ミシン目Ｌは、粘着テープ２１の側縁から１．５ｍｍ以上内側に入った領域に設けられていると好ましく、２ｍｍ以上内側に入った領域に設けられているとより好ましい。
【００３６】
ところで、ミシン目形成手段１３は、側縁折り返し手段１２と別体であってもよいが、本実施態様の粘着テープ繰り出し装置１０では、図３〜図５に示すように、側縁折り返し手段１２とミシン目形成手段１３とがユニット化されている。このため、粘着テープ２１の幅が変わるなどして側縁折り返し手段１２やミシン目形成手段１３を取り替える必要がある場合には、側縁折り返し手段１２やミシン目形成手段１３を粘着テープ繰り出し装置１０の本体に対して容易に取り付けることができるようになっている。
【００３７】
５．切断手段
本実施態様の粘着テープ繰り出し装置１０において、粘着テープ２１を切断するための切断手段１４は、粘着テープ繰り出し装置１０の前部に設けられている。この切断手段１４は、粘着テープ２１をその長手方向と垂直な方向に切断するものとなっている。このため、粘着テープ２１における切断手段１４で切断された部分には、ミシン目Ｌ１の切断部かミシン目Ｌ２の切断部かの少なくともいずれか一方が表れるようになっており、粘着テープを対象物から剥がそうとした際には、その切れ目（切断部）が始点となって粘着テープが長手方向に沿って裂けやすいようになっている。
【００３８】
６．粘着テープ繰り出し装置の用途
本発明の粘着テープ繰り出し装置は、その用途を限定されるものではなく、様々なところで使用することができる。なかでも、ホームセンターやスーパーマーケットのレジスターにおいて購入済みの印として商品に貼られる粘着テープを繰り出すためのものとして好適である。これにより、購入済みの商品に貼られていた粘着テープを未購入の商品に貼り替えて店外に持ち出すといった不正行為を防止することが可能になる。
【図面の簡単な説明】
【００３９】
【図１】本発明の粘着テープ繰り出し装置の側面図である。
【図２】図１に示した粘着テープ繰り出し装置におけるテープロール支持手段の平面図である。
【図３】図１に示した粘着テープ繰り出し装置における側縁折り返し手段とミシン目形成手段の底面図である。
【図４】図１に示した粘着テープ繰り出し装置における側縁折り返し手段とミシン目形成手段を粘着テープの幅方向に垂直な面で切断した断面図である。
【図５】図１に示した粘着テープ繰り出し装置における側縁折り返し手段とミシン目形成手段の背面図である。
【図６】図１に示した粘着テープ繰り出し装置におけるミシン目形成手段の斜視図である。
【図７】図１に示した粘着テープ繰り出し装置におけるミシン目形成手段の側面図である。
【符号の説明】
【００４０】
１０    粘着テープ繰り出し装置
１１    テープロール支持手段
１１ａ  第一支持部
１１ｂ  第二支持部
１１ｃ  第三支持部
１２    側縁折り返し手段
１２ａ  側縁起立手段
１２ｂ  側縁起立手段
１２ｃ  側縁倒伏手段
１３    ミシン目形成手段
１３ａ  回転鋸歯
１３ｂ  回転鋸歯
１３ｃ  回転ドラム
１４    切断手段
２０    テープロール
２１    粘着テープ
【図１】
2008222385.tif 000003
【図２】
2008222385.tif 000004
【図３】
2008222385.tif 000005
【図４】
2008222385.tif 000006
【図５】
2008222385.tif 000007
【図６】
2008222385.tif 000008
【図７】
2008222385.tif 000009